(57)【要約】【課題】制御盤によるデッドスペースの発生を無くして空調効率の低下を防止し、且つ全体を小型にしてコストダウンを図ることにある。【解決手段】所定の厚みのサンドイッチパネルにより構成された筐体１内に、送風機、フィルタ、熱交換器などの各種の空調機器が収納された空気調和装置において、筐体の厚みに相当する深さの凹部が形成されたケース１１内に制御回路、コントロール回路及び計装回路の一部が形成された基板１２を収納してなる制御用サンドイッチパネル１０を筐体１の予定位置のサンドイッチパネルを繰り抜いて形成された適宜大きさの窓に嵌め込み、且つ筐体内に風の流れの関係で生じるデッドスペースを利用してインバータ及び動力回路、並びにコントロール回路及び計装回路の残りを配設する。【選択図】    図１
2004239471.tif 000002
【特許請求の範囲】
【請求項１】
断熱材を挟んでその両側面を覆うように鋼材を設けてなる所定の厚みのサンドイッチパネルにより構成された筐体内に、室内空気又は外気を吸気するための送風機、吸気された空気中の塵埃等を除去するフィルタ、このフィルタを通して流入する空気と熱交換して冷気又は暖気を排気する熱交換器などの各種の空調機器が収納された空気調和装置において、
前記筐体の予定位置のサンドイッチパネルを繰り抜いて適宜大きさの窓を形成し、この窓に内部に各種の空調機器を制御及び監視する制御回路、コントロール回路及び計装回路の一部を収納してなる前記筐体の厚さに相当する厚みの制御用サンドイッチパネルを嵌め込み、且つ前記筐体内に風の流れの関係で生じるデッドスペースを利用してインバータ及び動力回路、並びにコントロール回路及び計装回路の残りの部品を配設するようにしたことを特徴とする空気調和装置。
【請求項２】
請求項１記載の空気調和装置において、前記制御用サンドイッチパネルは、前記筐体の厚みに相当する深さの凹部が形成されたケースと、このケースの凹部内に制御回路、コントロール回路及び計装回路の一部を基板化して収納されることを特徴とする制御用サンドイッチパネル。
【請求項３】
請求項２記載の空気調和装置において、前記制御用サンドイッチパネルは、前記ケースの開口部を断熱シートで覆うようにしたことを特徴とする空気調和装置。
【発明の詳細な説明】
【０００１】
【発明の属する技術分野】
本発明は、ビルなどの室内に設置される空気調和装置に関する。
【０００２】
【従来の技術】
ビルなどの室内に設置される冷暖房用の空気調和装置（以下空調機と呼ぶ）としては、図４（ａ）に示すような構成のものが採用されている。
【０００３】
図４（ａ）において、１は筐体で、この筐体１内は通気穴を有する仕切板２ａ，２ｂにより３つの部屋に仕切られ、中央の部屋の後面板に有する空気吸入口には室内空気又は外気を吸気するための送風機３が設置されると共に、仕切板２ａ，２ｂの通気穴に対応する部位に塵埃などを除去するフィルタ４ａ，４ｂが配設されている。
【０００４】
また、筐体１内の中央部に有する部屋の両隣りの部屋には、仕切板２ａ，２ｂの通気穴に対応する部位に熱交換器として例えば冷水又は温水が流通する冷暖房用コイル５ａ，５ｂが配設され、中央の部屋からフィルタ４ａ，４ｂ及び仕切板２ａ，２ｂの通風穴を通して流入する空気が冷暖房用コイル５ａ，５ｂにより熱交換されてその各部屋の後面板に有する空気排出口から冷風又は温風として室内に排気されるようになっている。
【０００５】
ここで、上記筐体１は、機械的強度を持たせ、且つ筐体内外部の断熱効果を高める目的で、図４（ｂ）に示すように発泡スチロールなどの断熱材１ａを挟んでその両板面をガルバ鋼板１ｂにより覆ったパネル（一般的にサンドイッチパネルと呼ばれている）が使用されている。因みに、このサンドイッチパネルの厚さは補強のため、約３ｃｍ程度にしてある。
【０００６】
さらに、この空調機においては、筐体１内の各種機器を監視及び制御するため、図５に示すように筐体１内の前方中央部に制御盤６が配設されている。この制御盤６は、図６（ａ），（ｂ）に示すように前記筐体とは独立したケース７内にインバータと動力回路及び制御回路、コントロール回路、計装回路などが収納され、前述した送風機３、冷暖房用コイル５ａ，５ｂに流れる冷水又は温水の流量を調節する電動バルブのコントロール、フィルタ４ａ，４ｂ―差圧スイッチなどの制御を行なうものである。
【０００７】
また、ケース７の前面には開閉扉８が設けられており、この開閉扉８の上面部に押しボタンやメータ等を備えた操作パネル９が設けられている。
【０００８】
この場合、筐体１内の前方中央部に制御盤６を配設しているのは、操作パネル９に有するメータなどが見易く、しかもスイッチ等の手動操作をし易くするためである。
【０００９】
【発明が解決しようとする課題】
このように従来の空調機においては、前述したように制御盤６を操作パネル９がある関係から、筐体１内の前方中央部に配設されている。
【００１０】
しかし、この制御盤６はケース７内に占積率の高いインバータと動力回路を始め、制御回路、コントロール回路、計装回路などを収納するため、ケース自体も大形化し、このケース７を筐体１内の前方中央部に配設すると、図７に示すように筐体１内のケース７の両側に対応する部分、すなわちケース７の奥行き寸法Ａに相当する部分がデッドスペースとなる。
【００１１】
このため、デッドスペース部分での空気の流れが悪くなり、空調効率が低下する要因となる。
【００１２】
そこで、この対策として、図８に示すように筐体１の奥行き寸法を制御盤６の占める奥行き寸法Ａ分だけ大きくすれば、空調効率の低下を防止することができるが、空調機に無駄なスペースが存在すると共に、全体が大形になり、コストアップにつながる問題がある。また、空調機が大形になると、これを設置する機械室も大きなスペースが必要になる。
【００１３】
本発明は上記のような事情に鑑みてなされたもので、制御盤によるデッドスペースの発生を無くして空調効率の低下を防止し、且つ全体を小型にしてコストダウンを図ることができる空気調和装置を提供することを目的とする。
【００１４】
【課題を解決するための手段】
本発明は上記の目的を達成するため、次のような手段により空気調和装置を構成する。
【００１５】
請求項１に対応する発明は、断熱材を挟んでその両側面を覆うように鋼材を設けてなる所定の厚みのサンドイッチパネルにより構成された筐体内に、室内空気又は外気を吸気するための送風機、吸気された空気中の塵埃等を除去するフィルタ、このフィルタを通して流入する空気と熱交換して冷気又は暖気を排気する熱交換器などの各種の空調機器が収納された空気調和装置において、前記筐体の予定位置のサンドイッチパネルを繰り抜いて適宜大きさの窓を形成し、この窓に内部に各種の空調機器を制御及び監視する制御回路、コントロール回路及び計装回路の一部を収納してなる前記筐体の厚みに相当する厚さの制御用サンドイッチパネルを嵌め込み、且つ前記筐体内に風の流れの関係で生じるデッドスペースを利用してインバータ及び動力回路、並びにコントロール回路及び計装回路の残りの部品を配設する構成とする。
【００１６】
請求項２に対応する発明は、請求項１に対応する発明の空気調和装置において、前記制御用サンドイッチパネルは、前記筐体の厚みに相当する深さの凹部が形成されたケースと、このケースの凹部内に収納される制御回路、コントロール回路及び計装回路の一部は基板化して収納される。
【００１７】
請求項３に対応する発明は、請求項２に対応する発明の空気調和装置において、前記制御用サンドイッチパネルは、前記筐体の内面側に存する前記ケースの開口部を断熱シートで覆うようにする。
【００１８】
【発明の実施の形態】
以下本発明の実施形態について図面を参照して説明する。
【００１９】
図１は本発明による空調機の第１の実施形態における制御用サンドイッチパネルを示す断面図である。なお、空調機本体については、図４と同様なので、ここではその説明を省略する。
【００２０】
図１において、１０は発泡スチロールなどの断熱材１ａを挟んでその両板面をガルバ鋼板１ｂにより覆った所定の厚さのパネルからなる筐体１の例えば前面板の上部を図２（ａ）に示すように繰り抜いて形成された適宜大きさの窓１ｃに嵌め込まれる制御用サンドイッチパネルである。
【００２１】
この制御用サンドイッチパネル１０は、１〜２ｍｍ程度の薄い例えばガルバ鋼板を加工して筐体１の厚みに相当する深さの凹部１１ａが形成され、且つこの凹部１１ａの開口周縁部に鍔１１ｂを形成したケース１１と、このケース１１の凹部１１ａ内に収納される半導体基板１２と、ケース１１の開口部を閉塞するように設けられると共に、筐体１内と断熱する３ｍｍ程度の断熱シート１３とから構成され、ケース１１の鍔部１１ｂを筐体１の板面にネジ止めすることで、取付け固定される。この場合、ケース１１の凹部１１ａ内に収納される半導体基板１２は、制御回路、コントロール回路の一部、計装回路の一部を形成している。
【００２２】
一方、通常は操作する必要のない占積率の高いインバータと動力回路、基板化できないコントロール回路及び計装回路の部品は、図４と同一部品には同一符号を付して示す図３のように筐体１内に風の流れの関係からデッドスペースとなる図示ハッチング部分に設置され、制御用サンドイッチパネル１０から引出して接続されたコネクタ１４を介して図示しない各回路の所定の端子に接続される。
【００２３】
このように本実施形態では、筐体１の厚みに相当する深さの凹部１１ａを形成したケース１１内に制御回路、コントロール回路の一部及び計装回路の一部を基板化して収納した制御用サンドイッチパネル１０を筐体１の板面を繰り抜いて形成した窓１ｃに嵌め込む構成としたので、従来のように制御盤の設置によるデッドスペースが皆無となり、筐体１を大形化しないでも空調効率を向上させることができる。
【００２４】
また、制御用サンドイッチパネル１０は、筐体１の厚みに相当する深さの凹部１ａを窓１ｃに嵌め込むようにしているので、筐体１の例えば図２（ａ）に一点鎖線で示すように中央部の前面板の下部位置や両隣の前面板の上部又は下部位置、さらには図２（ｂ）に一点鎖線で示すように側面板の上部又は下部位置など適宜選択して窓を設けることにより、どの位置にでも取り付けることができる。また、必要に応じて中央監視盤などの空調機の外部にも取り付けることができる。
【００２５】
さらに、制御用サンドイッチパネル１０に収納できないインバータ回路及び動力回路などは、筐体１内に風の流れの関係から生じるデッドスペースを利用して設置するようにしているので、空調機全体を小型化でき、その機械室の設置スペースも縮小化できる。
【００２６】
また、制御用サンドイッチパネル１０は、標準化することによって大量生産、在庫生産が可能となり、大幅なコストダウンを図ることができる。
【００２７】
なお、本発明は上記し且つ図面に示す実施形態にのみ限定されるものではなく、その要旨を変更しない範囲内で適宜変形して実施できるものである。
【００２８】
【発明の効果】
以上述べたように本発明によれば、制御盤によるデッドスペースの発生を無くして空調効率の低下を防止し、且つ全体を小型にしてコストダウンを図ることができる空気調和装置を提供できる。
【図面の簡単な説明】
【図１】本発明による空気調和装置の実施形態における制御用サンドイッチパネルを示す断面図。
【図２】同実施形態における制御用サンドイッチパネルを筐体の板面に嵌め込むための窓の配置例を示す図。
【図３】同実施形態において、空気調和装置の筐体内に配設される各種設備機器の構成を示す図。
【図４】（ａ）は従来の空気調和装置の筐体内に配設される各種設備機器の構成を示す図、（ｂ）は筐体を構成するサンドイッチパネルの一部を示す断面図。
【図５】従来の空気調和装置の筐体内に制御盤が配置された正面図。
【図６】（ａ）は同制御盤の全体を示す斜視図、（ｂ）はケース内に収納される各種回路の配置構成図。
【図７】従来の空気調和装置において、筐体内に制御盤が配置されたときに生じるデットスペースの状態を示す図。
【図８】図７のデッドスペースによる空調効率の低下の防止索を示す制御盤と筐体の関係を示す図。
【符号の説明】
１：筐体
１ａ：断熱材
１ｂ：ガルバ鋼板
１ｃ：窓
２ａ，２ｂ：仕切板
３：送風機
４ａ，４ｂ：フィルタ
５ａ，５ｂ：冷暖房用コイル
６：制御盤
７：ケース
８：開閉扉
９：操作パネル
１０：制御用サンドイッチパネル
１１：ケース
１１ａ：凹部
１１ｂ：鍔
１２：半導体基板
１３：断熱シート
１４：コネクタ
【図１】
2004239471.tif 000003
【図２】
2004239471.tif 000004
【図３】
2004239471.tif 000005
【図４】
2004239471.tif 000006
【図５】
2004239471.tif 000007
【図６】
2004239471.tif 000008
【図７】
2004239471.tif 000009
【図８】
2004239471.tif 000010